(57)【要約】【課題】  アッパー又はソールを交換可能な組合せ靴の提供。【解決手段】  アッパーとソールが分離式設計とされ、アッパー及びソールの側縁位置にスライドファスナーが設けられ、スライドファスナーを利用してアッパーとソールを組み合わせることができ、希望に応じてアッパー或いはソールを交換して各種の異なる着用場面に符合させることができ、並びに洗濯、携帯、除菌、日干し及び足の臭いの防止に便利である。【選択図】        図１
0003104513.tif 000002
【実用新案登録請求の範囲】
【請求項１】
アッパーとソールを具えた靴に適用されるアッパーとソールを交換可能な組合せ靴において、該組合せ靴のアッパーとソールが分離式設計とされ、該アッパーとソールの側縁位置にスライドファスナーが設けられ、該スライドファスナーのトップエンドピースとボトムエンドピースが相互に接続状を呈し、且つトップエンドピースとボトムエンドピースがアッパーとソールの内腰部分に位置し、アッパーの内腰部分に外向きに延伸された固定片が設けられ、該固定片の内側とソールの対応部分の間に粘着帯が設けられ、これによりスライドファスナーを利用して異なる形式のアッパーとソールを相互に組み合わせられることを特徴とする、アッパーとソールを交換可能な組合せ靴。
【請求項２】
請求項１記載のアッパーとソールを交換可能な組合せ靴において、スライドファスナーが防水スライドファスナーとされたことを特徴とする、アッパーとソールを交換可能な組合せ靴。
【考案の詳細な説明】
【技術分野】
【０００１】
本考案はアッパーとソールを交換可能な組合せ靴に係り、特に希望に応じてアッパー或いはソールを交換して各種の異なる着用場面に符合させることができ、並びに洗浄、携帯、除菌、日干し及び足の臭いの防止に便利である組合せ靴に関する。
【背景技術】
【０００２】
周知の靴の構造はアッパーとソールが組み合わされてなり、該アッパー及びソールは接着或いは縫製の方式でアッパーとソールの側縁が相互に結合されて一体とされる。一般大衆が靴を購入する時、靴の快適性と機能性に注意するほか、靴の美観も注意する。しかし、靴に各種の機能性を具備させるのはほぼ不可能で、ゆえに我々は各種の靴を購入して異なる場合に着用する。例えばパーティーでは正式な皮靴を着用し、運動時には運動靴を着用し、快適さを求めてカジュアルシューズやサンダルを着用することもある。このため、靴の消費は重い負担となっている。
【０００３】
また、多くの場合、靴を購入する時、その靴の形式が気に入ってもソールが薄過ぎたり厚過ぎたりする気がすることがあり、全体として満足感を得られず、結果的にその靴を買うか決定しにくくなることがある。或いはある期間着用してから、靴のソールが十分に柔軟でなかったり、ソールの防滑性が良くないことに気づき、数回着用した後に着用する気がなくなることがあり、これは金銭と物質上の浪費を形成する。
【０００４】
さらに、人の足は汗をかきやすく、靴がきつく足を被覆すると、足の発汗が靴内にこもり、靴内の環境を湿らせて大量の細菌を発生させ、並びに異臭と汚れを発生する。しかし周知の靴のアッパーとソールは既に一体に組み合わされているため、靴の内部を洗いにくく、且つ洗濯後、内部を日干ししにくいために乾燥が難しい。また雨の日に靴内に水が入ると、靴内の水分を排出しにくく、着用者に非常に大きな問題をもたらす。
【０００５】
このほか、周知の靴は片方のアッパー或いはソールが損壊すると、全体を交換しなければならず、廃棄物を増やし、環境汚染を形成し、環境保護の概念に符合しない。
【考案の開示】
【考案が解決しようとする課題】
【０００６】
本考案は周知の靴の構造の欠点を鑑み、それを解決するアッパーとソールを交換可能な組合せ靴を提供するものである。
【０００７】
ゆえに本考案の主要な目的は、希望に応じてアッパー或いはソールを交換でき、各種の異なる場合の着用に符合させられ、並びに洗浄、携帯、除菌、日干し及び足の臭いの防止に便利なアッパーとソールを交換可能な組合せ靴を提供することにある。
【課題を解決するための手段】
【０００８】
請求項１の考案は、アッパーとソールを具えた靴に適用されるアッパーとソールを交換可能な組合せ靴において、該組合せ靴のアッパーとソールが分離式設計とされ、該アッパーとソールの側縁位置にスライドファスナーが設けられ、該スライドファスナーのトップエンドピースとボトムエンドピースが相互に接続状を呈し、且つトップエンドピースとボトムエンドピースがアッパーとソールの内腰部分に位置し、アッパーの内腰部分に外向きに延伸された固定片が設けられ、該固定片の内側とソールの対応部分の間に粘着帯が設けられ、これによりスライドファスナーを利用して異なる形式のアッパーとソールを相互に組み合わせられることを特徴とする、アッパーとソールを交換可能な組合せ靴としている。
請求項２の考案は、請求項１記載のアッパーとソールを交換可能な組合せ靴において、スライドファスナーが防水スライドファスナーとされたことを特徴とする、アッパーとソールを交換可能な組合せ靴としている。
【考案の効果】
【０００９】
総合すると、本考案のアッパーとソールを交換可能な組合せ靴は確実に交換のコストを節約でき、且つこの構造は交換時の便利性を増し、実用性と新規性を有している。
【考案を実施するための最良の形態】
【００１０】
本考案のアッパーとソールを交換可能な組合せ靴は、各種形式の対をなすアッパーとソールを具え、該アッパーとソールが分離式設計とされ、該アッパーとソールの側縁位置にスライドファスナーが設けられ、またアッパーとソールの内腰部分に固定片と粘着帯が設置されている。
【００１１】
以上の構造により、本考案のアッパーとソールを交換可能な組合せ靴は、スライドファスナーを利用して各種の異なるアッパー或いはソールに交換して各種の異なる着用場合に符合するものとでき、また、該組合せ靴のアッパーとソールはスライドファスナーで組み合わされ、希望に応じてアッパー或いはソールを交換できるほか、洗浄、携帯、除菌、日干し及び足の臭いの防止に便利である。また粘着帯がスライドファスナーの前端と後端のエンドピースを固定してそれを移動しにくくし、構造上の安全感を増している。
【実施例１】
【００１２】
図１、２に示されるように、本考案のアッパーとソールを交換可能な組合せ靴は、アッパー１とソール２を具え、その特徴は以下のとおりである。
【００１３】
該組合せ靴のアッパー１とソール２は分離式設計とされ、該アッパー１とソール２の側縁の間にスライドファスナー３が設置され、該スライドファスナー３のトップエンドピース３１とボトムエンドピース３２が相互に接続状を呈し、且つ該トップエンドピース３１とボトムエンドピース３２はアッパー１とソール２の内腰部分に位置し、該アッパー１の内腰部分に外向きに延伸された固定片１１が設けられ、該固定片１１とソール２の対応部分の間に粘着帯１１２が設置されている。
【００１４】
以上の構造により、図３、４に示されるように、本考案のアッパーとソールを交換可能な組合せ靴は、スライドファスナーを利用して異なる形式のアッパー１とソール２を相互に一体に組み合わせることができる。着用者は一般の皮靴のアッパーとソールのいずれかと組み合わせて正式な皮靴とすることができ、着用して正式な場面或いはパーティーに出かけることができる。パーティー参加後にソールを一般の登山靴のソールに代えれば登山活動に参加できる。或いはパーティー終了後に、アッパーを一般のサンダルのアッパーに代えれば足部の圧力を釈放できる。且つ組合せ靴のアッパー或いはソールの交換時間は１から１．５分しかかからず迅速に交換を完成できる。これにより、各種の異なる着用場面に適用される。
【００１５】
さらに、本考案のアッパーとソールは分離式設計とされ、アッパーを取り外し、さらにアッパーとソールを相互に平らに重ね合わせれば体積を明らかに縮小でき、並びに数種類の常用のアッパーを車に置いて交換使用することができ、また、鞄やスーツケースのような物品内に置けば、大量の空間を占拠することなく、携帯に便利である。
【００１６】
次に、本考案のアッパーとソールを交換可能な組合せ靴は家で靴を脱いだ後、スライドファスナーを開き、アッパーとソールを分離することができ、組合せ靴の内側の汗や異臭を急速に乾燥させて細菌の発生を防止し、足の臭いを防止することができる。
【００１７】
このほか、本考案中の固定片はスライドファスナーのエンドピースを圧着し、並びに粘着帯で固定片をソール内底部分の側縁に貼り付けることができ、スライドファスナーを移動しにくくすることができ、構造上の安全感が増されている。また、本考案のソールとアッパーの分離式設計により、アッパー或いはソールが損壊した時、全体を廃棄する必要はなく、ソール或いはアッパーのみを廃棄して交換すればよく、廃棄物を減らし、環境の汚染を減らすことができる。
【００１８】
本考案のアッパーとソールを交換可能な組合せ靴は、スライドファスナーが防水スライドファスナーとされ、組合せ靴に防水の機能が賦与される。且つアッパーとソールの形式、種類、材質に制限はなく、年齢及び性別の限定なくこの方式で製作できる。
【図面の簡単な説明】
【００１９】
【図１】本考案の立体分解図である。
【図２】本考案の立体組合せ図である。
【図３】本考案の実施例図である。
【図４】本考案の別の実施例図である。
【符号の説明】
【００２０】
１  アッパー          ２  ソール
３  スライドファスナー      １１  固定片
３１  トップエンドピース    ３２  ボトムエンドピース
１１２  粘着帯
【図１】
0003104513.tif 000003
【図２】
0003104513.tif 000004
【図３】
0003104513.tif 000005
【図４】
0003104513.tif 000006